(57)【要約】【課題】間仕切り壁を効率良く収容し、室内空間を有効利用できる可動間仕切り装置を提供する。【解決手段】この可動間仕切り装置は、室内空間１の天井面２と壁１１をふかしてなる収容空間３の天井面４とに設けられた天井レール５と、室内空間１の床面６と収容空間３の床面７とに設けられた床レール８と、これら天井レール５と床レール８とに跨って移動可能に取り付けられて、室内空間１を間仕切る間仕切り姿勢と収容空間３に壁１１に沿って横並びに収容される収容姿勢とで切換可能とされた複数の間仕切り壁１０・・とを備え、間仕切り壁１０・・はその壁本体３１の上端部略中央から突出して天井レール５に移動自在に案内された第１突起３２と、壁本体３１の下端部略中央から突出して床レール８に移動自在に案内された第２突起３３とを備え、壁本体３１は第１突起３２及び第２突起３３を中心として回転可能とされている。【選択図】図２
2008297742.tif 000002
【特許請求の範囲】
【請求項１】
室内空間（１）の天井面（２）と壁（１１）をふかしてなる収容空間（３）の天井面（４）とに亘って設けられた天井レール（５）と、前記室内空間（１）の床面（６）と前記収容空間（３）の床面（７）とに亘って設けられた床レール（８）と、これら天井レール（５）と床レール（８）との間に跨って移動可能に取り付けられて、前記室内空間（１）を間仕切る間仕切り姿勢と前記収容空間（３）に前記壁（１１）に沿って横並びに収容される収容姿勢との間で切換可能とされた複数の間仕切り壁（１０）・・とを備え、前記間仕切り壁（１０）・・は、その壁本体（３１）の上端部略中央から突出して前記天井レール(５)に移動自在に案内された第１突起（３２）と、前記壁本体（３１）の下端部略中央から突出して前記床レール（８）に移動自在に案内された第２突起（３３）とを備え、前記壁本体（３１）は、前記第１突起（３２）及び第２突起（３３）を中心として回転可能とされていることを特徴とする可動間仕切り装置。
【請求項２】
前記天井レール（５）及び床レール（８）は、その室内空間（１）側のレール部（１８）（２６）に対して前記壁（１１）に沿った収容空間（３）側のレール部（１９）（２７）が略直交するように連結されている請求項１記載の可動間仕切り装置。
【請求項３】
前記天井レール（５）及び床レール（８）における前記収容空間（３）側のレール部（１９）（２７）は、壁ふかし方向に間隔をあけて複数列形成されている請求項２記載の可動間仕切り装置。
【請求項４】
前記壁（１１）に、前記収容空間（３）に対して前記間仕切り壁（１０）・・を出し入れするための開口部（１４）が形成され、この開口部（１４）を開閉する開閉扉（１５）が前記壁（１１）に設けられている請求項１乃至３のいずれかに記載の可動間仕切り装置。
【請求項５】
前記間仕切り壁（１０）・・は、その壁本体（３１）の下端部に複数のキャスター（３４）・・が設けられ、前記壁本体（３１）の前記床レール（８）に沿った回転位置において前記キャスター（３４）・・が前記床レール（８）上を走行可能とされ、前記壁本体（３１）の前記床レール（８）からずれた回転位置において前記キャスター（３４）・・が床面（６）上を走行可能とされている請求項１乃至４いずれかに記載の可動間仕切り装置。
【発明の詳細な説明】
【技術分野】
【０００１】
この発明は、主として住宅の室内空間を仕切るために用いられる可動間仕切り装置に関する。
【背景技術】
【０００２】
住宅の長寿命化が重要視される近年では、構造躯体等の高耐久化とともに、室内空間を臨機応変に変化させて、居住者のライフスタイルやライフステージの変化に柔軟に対応できる内装システムが求められている。そして、そのような内装システムの構築に際して、室内空間を使用状況に応じて間仕切り壁によって仕切ることができる可動間仕切り装置が利用されている。
【０００３】
この種の可動間仕切り装置としては、室内空間を仕切る複数の間仕切り壁が、天井面と床面に設けたガイドレール間に跨って移動可能且つ回転可能となっていて、室内空間を仕切らないときには、複数の間仕切り壁を壁際において互いに重ね合わせるようにして収容可能としたものがある（例えば、特許文献１参照）。
【０００４】
また、室内空間を仕切る複数の間仕切り壁が、天井面に設けたガイドレールに沿って移動可能となっていて、室内空間を仕切らないときには、複数の間仕切り壁を室内空間に面する壁をふかしてなる収容空間に収容可能としたものもある（例えば、特許文献２参照）。
【０００５】
【特許文献１】特開平１０−１４０９２０号公報
【特許文献２】特開平９−１８４３５７号公報
【発明の開示】
【発明が解決しようとする課題】
【０００６】
しかしながら、上記の特許文献１記載の可動間仕切り装置においては、複数の間仕切り壁が室内空間の壁から張り出すようにして露出した状態で収容されるため、間仕切り壁の収容時において、室内空間の見栄えが悪くなるとともに、室内空間内に間仕切り壁による出張りが生じて邪魔になるといった不具合があった。
【０００７】
一方、上記の特許文献２記載の可動間仕切り装置においては、壁をふかしてなる収容空間に、間仕切り壁を邪魔にならないように見栄え良く収容することができる。ところが、間仕切り壁の収容に際しては、室内空間内の間仕切り壁をガイドレールに沿って壁に対して直交する状態で収容空間内に導いて、収容空間内において、壁と平行に移動させて互いに重ね合わせるようにして収容している。
【０００８】
このように、複数の間仕切り壁を壁に対して直交した状態で収容する収容空間を形成するためには、壁を大きくふかす必要があり、特に床面積が限られていて、奥行きのあるスペースを確保し難い狭小住宅や集合住宅においては、他に利用用途のない収容空間が室内空間に大きく出張ってしまって、この出張り部分がデッドスペースとなって室内空間の有効利用の妨げとなり、内装プランを圧迫するといった不具合があった。
【０００９】
そこで、この発明は、上記の不具合を解消して、間仕切り壁を収容空間に邪魔にならないように見栄え良く収容しながら、デッドスペースを減らして、室内空間の有効利用を図ることができ、しかも構造が簡単で間仕切り壁の操作性にも優れた可動間仕切り装置の提供を目的とする。
【課題を解決するための手段】
【００１０】
上記課題を解決するため、この発明の可動間仕切り装置は、室内空間１の天井面２と壁１１をふかしてなる収容空間３の天井面４に亘って設けられた天井レール５と、室内空間１の床面６と収容空間３の床面７とに亘って設けられた床レール８と、これら天井レール５と床レール８との間に跨って移動可能に取り付けられて、室内空間１を間仕切る間仕切り姿勢と収容空間３に壁１１に沿って横並びに収容される収容姿勢との間で切換可能とされた複数の間仕切り壁１０・・とを備え、間仕切り壁１０・・は、その壁本体３１の上端部略中央から突出して天井レール５に移動自在に案内された第１突起３２と、壁本体３１の下端部略中央から突出して床レール８に移動自在に案内された第２突起３３とを備え、壁本体３１は第１突起３２及び第２突起３３を中心として回転可能とされていることを特徴とする。
【００１１】
具体的に、天井レール５及び床レール８は、その室内空間１側のレール部１８、２６に対して壁１１に沿った収容空間３側のレール部１９、２７が略直交するように連結されている。
【００１２】
また、天井レール５及び床レール８における収容空間３側のレール部１９、２７は、壁ふかし方向に間隔をあけて複数列形成されている。
【００１３】
さらに、壁１１に、収容空間３に対して間仕切り壁１０・・を出し入れするための開口部１４が形成され、この開口部１４を開閉する開閉扉１５が壁１１に設けられている。
【００１４】
しかも、間仕切り壁１０・・は、その壁本体３１の下端部に複数のキャスター３４・・が設けられ、壁本体３１の床レール８に沿った回転位置においてキャスター３４・・が床レール８上を走行可能とされ、壁本体３１の床レール８からずれた回転位置においてキャスター３４・・が床面６上を走行可能とされている。
【発明の効果】
【００１５】
この発明の可動間仕切り装置においては、室内空間を仕切らないときには、壁をふかしてなる収容空間に間仕切り壁を邪魔にならないように見栄え良く収容することができる。しかも、間仕切り壁は、収容空間内において壁に沿って横並びに収容されるので、収容空間の奥行きは間仕切り壁の厚み分よりも若干広めに確保するだけで良く、従って収容空間を形成するにあたっての壁のふかしを小さく抑えることができる。これにより、壁の厚みが若干増す程度で、室内空間において余計な出張りが生じず、デッドスペースを減らして室内空間の有効利用を図ることができ、内装プランの自由度を高めることができる。
【００１６】
さらに、間仕切り壁は、壁本体の上端部略中央及び下端部略中央から突出した第１突起及び第２突起を中心として、壁本体が回転可能になっているので、例えば収容空間の手前で壁本体を回転させて壁に沿うように向きを変えて、この状態で収容空間内に押し込んで壁に沿ってスライドさせるだけで、収容空間に容易に収容することができる。これにより、間仕切り姿勢と収容姿勢との間での間仕切り壁の切換に際しての操作性を高めることができ、しかも天井レール及び床レールの構造を、室内空間側のレール部と収容空間側のレール部を略直交するように連結しただけの簡単な構造とすることができる。
【００１７】
また、天井レール及び床レールの収納空間側のレール部を複数列形成することで、多くの間仕切り壁を収容することができ、間仕切り壁の枚数が多い場合に有効である。
【００１８】
さらに、壁に設けた開閉扉を閉めることで、収容空間内の間仕切り壁が室内空間側から見えなくなり、見栄えを良好にすることができる。
【００１９】
さらにまた、間仕切り壁の壁本体の下端部にキャスターを取り付けて、間仕切り壁の移動時や回転時に、キャスターがレール部上若しくは床面上を走行するので、間仕切り壁の移動や回転を円滑に行うことができ、操作性をさらに高めることができる。
【発明を実施するための最良の形態】
【００２０】
以下、この発明の実施形態を図面に基づいて詳細に説明する。この発明の一実施形態に係る可動間仕切り装置は、図１及び図２に示すように、室内空間１の天井面２と収容空間３の天井面４とに亘って設けられた天井レール５と、室内空間１の床面６と収容空間３の床面７とに亘って設けられた床レール８と、これら天井レール５と床レール８との間に跨って移動可能に設けられた複数の間仕切り壁１０・・とを備え、間仕切り壁１０・・が室内空間１を間仕切る間仕切り姿勢と収容空間３に横並びに収容される収容姿勢との間で切換可能とされている。
【００２１】
収容空間３は、図２に示すように、室内空間１に面する外壁や間仕切り壁等の壁１１をふかしてなる横長の空間であって、壁１１を構成する内外の壁材１２、１３間に形成されている。壁１１の室内空間１側の壁材１２には、収容空間３に間仕切り壁１０・・を出し入れするための開口部１４が形成され、この開口部１４を開閉する開閉扉１５が設けられている。そして、開口部１４の幅寸法は、間仕切り壁１０の幅寸法よりも若干広くなっている。開閉扉１５の表面は、壁１１の壁材１２の表面と同じ形態となっていて、開閉扉１５を閉めた状態において壁材１２と開閉扉１５とが一体化して見栄えを良好にしている。
【００２２】
天井レール５は、図３に示すように、室内空間１側のレール部１８と、壁１１に沿った収容空間３側のレール部１９とを備え、これらレール部１８、１９を収容空間３内において略直交するように連結することによって、全体的に略Ｔ字状に構成されている。室内空間１側のレール部１８は、図６に示すように、リップ２１、２１間の隙間が下向きになるように天井材２２に埋め込まれたリップ付きの溝形鋼からなる。収容空間３側のレール部１９は、室内空間１側のレール部１８よりも幅広に形成され、図８に示すように、溝部の開放部分が下向きになるように天井材２２に埋め込まれた溝形鋼からなり、その側壁２３、２３間において、これら２３、２３と平行に一対のレール材２４、２４が折面形成されている。なお、レール材２４、２４には、室内空間１側のレール部１８の延長上において切欠部２５、２５が形成され、後述する間仕切り壁１０の第１突起３２をレール部１９へ案内することができるようになっている。
【００２３】
床レール８は、図４に示すように、室内空間１側のレール部２６と、収容空間３側のレール部２７とを備え、これらレール部２６、２７を収容空間３内において略直交するように連結することによって、全体的に略Ｔ字状に構成されている。そして、室内空間１側のレール部２６及び収容空間３側のレール部２７はともに、溝部の開放部分が上向きになるように床材２８に埋め込まれた溝形鋼からなる。
【００２４】
間仕切り壁１０は、図５に示すように、略長方形状の壁本体３１と、その壁本体３１の上端部略中央に設けられた第１突起３２と、壁本体３１の下端部略中央に設けられた第２突起３３と、壁本体３１の下端部の第２突起３３を挟んだ両側に設けられた複数のキャスター３４・・とを備えている。
【００２５】
壁本体３１は、図６及び図７に示すように、方形状のフレーム４１の表裏面に石膏ボード等からなる壁面材４２、４２を貼り付けることによって構成されており、壁本体３１におけるフレーム４１の上端部には、図６に示すように、上方に開放した略コ字形の上枠材４３が横方向に沿って設けられている。なお、上枠材４３は、壁面材４２、４２の上端部に覆われていて、外部からは見えないようになっている。また、フレーム４１の下端部には、図７に示すように、リップ４４、４４間の隙間が上向きとなったリップ付きの溝形鋼からなる下枠材４５が横方向に沿って設けられている。なお、この下枠材４５においても、壁面材４２、４２の下端部によって覆われていて、外部から見えないようになっている。
【００２６】
第１突起３２は、図６及び図８に示すように、天井レール５に係合して、その天井レール５に沿って移動自在に案内されている。この第１突起３２は、天井レール５の溝部内に収容されたスライド部材５１と、このスライド部材５１から下方へ突出した軸部材５２と、壁本体３１における上枠材４３の枠内に固定されて、軸部材５２を縦方向の軸芯周りに回転自在且つ上下動自在に支持する支持部材５３と、この支持部材５３に取り付けられて軸部材５２を上方へ付勢するバネ部材５４とを備えている。
【００２７】
スライド部材５１は、図９に示すように、横長のブロック状に形成され、その上面四隅には、長手方向に沿った突部５６・・が形成され、その下面には、長手方向に沿った一対の突部５７、５７が形成されている。そして、上面側の突部５６・・によって、スライド部材５１の上面と天井レール５の上面との間に隙間が確保され、これによって天井レール５の上面を天井材２２に取り付けるためのビス６１の頭部を回避しながら、第１突起３２を移動させることができるようになっている。下面側の突部５７、５７は、図６に示すように、第１突起３２が室内空間１側のレール部１８に沿って移動するときに、レール部１８のリップ２１、２１上を摺動するようになっている。また、このスライド部材５１の上面には、短手方向に沿った一対の係合溝５８、５８が形成され、図８に示すように、第１突起３２が収容空間３側のレール部１９に沿って移動するときに、係合溝５８、５８に収容空間３側のレール部１９のレール材２４、２４が嵌り込むようになっている。
【００２８】
軸部材５２は、スライド部材５１の下面略中央に突設された縦ボルト６２と、この縦ボルト６２の下端部に螺合された昇降回転体６３と、縦ボルト６２に螺合されたナット６４とを備えている。縦ボルト６２は、壁本体３１における上枠材４３の枠内へ突出している。昇降回転体６３は、小径部６５と大径部６６を上下に連続させてなり、その上端面から下部にかけてボルト孔６７が形成されている。このボルト孔６７に対する縦ボルト６２のねじ込み量を調整することで、スライド部材５１の壁本体３１からの上方への突出量を調整することができるようになっている。また、この調整後には、ナット６４を締め付けることで、縦ボルト６２と昇降回転体６３とを一体化させるようにしている。
【００２９】
支持部材５３は、昇降回転体６３の大径部６６を回転自在且つ上下動自在に収容する筒状体６８と、この筒状体６８の下端部から側方へ張り出したフランジ６９とを備え、フランジ６９が壁本体３１における上枠材４３に固定されている。そして、筒状体６８内には、上記のバネ部材５４が配されていて、昇降回転体６３の小径部６５と大径部６６との間の段差部分を筒状体６８の上端部に押し付けている。
【００３０】
このような第１突起３２においては、天井レール５とスライド部材５１とのクリアランスが極力減らされた状態となっていて、天井レール５の溝部内におけるスライド部材５１のがたつきを抑えるようになっている。これにより、スライド部材５１のスムーズなスライドが可能となり、間仕切り壁１０の転倒も確実に防止することができる。また、スライド部材５１の上方への突出量を調整することができるので、天井レール５の溝部内にスライド部材５１を精度良く確実に収容させることができる。
【００３１】
さらに、天井部分の不陸等によって天井レール５に撓みや歪みが生じていると、この天井レール５に沿って移動するスライド部材５１が上下動することになるが、その上下動をバネ部材５４の伸縮によって吸収することができ、これによって間仕切り壁１０の移動における天井部分の不陸等に伴うがたつきを抑えることができる。
【００３２】
なお、壁本体３１の上端部には、上記のような第１突起３２だけでなく、間仕切り壁１０を天井面２、４と床面６、７とに跨って突っ張り固定するための図示しない固定機構が設けられている。これにより、使用時や収納時の間仕切り壁１０を、天井面２、４と床面６、７との間に安定して固定することができる。
【００３３】
第２突起３３は、図７に示すように、床レール８に係合して、その床レール８に沿って移動自在に案内されている。この第２突起３３は、壁本体３１における下枠材４５の溝部内に取り付けられた回転盤７１と、この回転盤７１に取り付けられたピン７２とを備えている。回転盤７１は、下枠材４５のリップ４４、４４に跨るように取り付けられた上側の基部７３に対して、下側の平板部７４が縦方向の軸芯周りに回転自在に支持されている。ピン７２は、その上端部が回転盤７１の平板部７４に固定され、壁本体３１における下枠材４５のウエブ４６に形成した切欠部分４７を通って、その下端部が床レール８に挿入されている。
【００３４】
キャスター３４・・としては、図１０及び図１１に示すように、例えば物流の現場等で使用されるような高精度なボールキャスターが用いられている。このキャスター３４は、壁本体３１における下枠材４５のウエブ４６を貫通するキャスター本体８１と、このキャスター本体８１から側方へ張り出して下枠材４５のウエブ４６下面に固定されたフランジ８２と、キャスター本体８１に内装されてその一部がキャスター本体８１から下方へ突出したボール８３とを備えている。
【００３５】
また、このような壁本体３１の下端部に取り付けられるキャスター３４・・としては、例えば８個用意されており、これら８個のキャスター３４・・が、第２突起３３を挟むようにし左右４個ずつ等間隔に配置されている。従って、これら８個のキャスター３４・・によって、壁本体３１の荷重を分散させてバランス良く支えることができる。
【００３６】
このようにして構成された間仕切り壁１０においては、その壁本体３１が第１突起３２及び第２突起３３を中心として水平方向に回転可能とされており、壁本体３１が床レール８に沿った回転位置にあるときには、キャスター３４・・が床レール８上を走行可能とされ、壁本体３１が床レール８からずれた回転位置にあるときには、キャスター３４・・が床面６を走行可能とされている。
【００３７】
次に、上記構成の可動間仕切り装置における間仕切り壁１０・・の姿勢切換動作について説明する。
【００３８】
まず、間仕切り壁１０・・が室内空間１を間仕切る間仕切り姿勢となっているときには、図６に示すように、各間仕切り壁１０における第１突起３２のスライド部材５１が天井レール５の室内空間１側のレール部１８に沿うようにしてレール部１８に収まり、図７に示すように、第２突起３３のピン７２が床レール８の室内空間１側のレール部２６にスライド可能に挿入され、さらに図１０に示すように、キャスター３４・・のボール８３・・がレール部２６における上端エッジ間に転動可能に嵌り込んで、間仕切り壁１０の壁本体３１が上下レール部１８、２６に沿うようにしてこれらレール部１８、２６間に跨った状態となっている。
【００３９】
この状態で、間仕切り壁１０を上下のレール部１８、２６に沿って軽く押すことで、第１突起３２のスライド部材５１がレール部１８内をスライドし、第２突起３３のピン７２が、レール部２６内をスライドしながら、キャスター３４・・がレール部２６上を走行して、間仕切り壁１０がレール部１８、２６に沿って移動することになる。このとき、レール部１８においてスライド部材５１がスムーズにスライドするとともに、複数のキャスター３４・・によって壁本体３１をバランス良く支えるので、間仕切り壁１０をがたつかせることなく、軽い力でスムーズに移動させることができる。
【００４０】
そして、間仕切り壁１０を収容空間３の手前まで移動させると、図２に示すように、間仕切り壁１０の壁本体３１を壁１１に対して略平行になるように、第１突起３２及び第２突起３３を中心として約９０度回転させる。このとき、図１２に示すように、第１突起３２のスライド部材５１がレール部１８内に収まり、図１３に示すように、第２突起３３のピン７２がレール部２６に収まった状態で、キャスター３４・・のボール８３・・が床面６上に乗り上げて床面６上を転動する。このときも、レール部１８においてスライド部材５１がきっちりと収容されて、複数の高精度なキャスター３４・・によって、壁本体３１をバランス良く支えるので、間仕切り壁１０をがたつかせることなく、軽い力でスムーズに回転させることができる。しかも、このようなスムーズな回転を可能にすることで、この回転に伴うキャスター３４・・の床面６上の走行によって床面６が傷付くといった不具合もなくなる。
【００４１】
このようにして、壁本体３１を９０度回転させた間仕切り壁１０を、上下のレール部１８、２６に沿って軽く押すことで、開閉扉１５を開けることによって開放した開口部１４を通して間仕切り壁１０を収容空間３内へ移動させる。このときも、第１突起３２のスライド部材５１がレール部１８内をスライドし、第２突起３３のピン７２がレール部２６内をスライドしながら、キャスター３４・・が床面６上を走行するので、間仕切り壁１０をがたつかせることなく、軽い力でスムーズに移動させることができ、この移動に伴うキャスター３４・・の走行によって床面６が傷付くこともない。
【００４２】
このようにして間仕切り壁１０を、収容空間３内に押し込んで、第１突起３２のスライド部材５１が室内空間１側のレール部１８に連続する収容空間３側のレール部１９へ案内され、第２突起３３のピン７２が室内空間１側のレール部２６に連続する収容空間３側のレール部２７へ案内されると、間仕切り壁１０を上下のレール部１９、２７に沿って、すなわち、横長の収容空間３に沿ってスライドさせる。このとき、図８に示すように、第１突起３２のスライド部材５１の係合溝５８、５８にレール部１９のレール材２４、２４が係合した状態で、スライド部材５１がその短手方向に沿ってレール部１９内をスライドし、図７に示すように、第２突起３３のピン７２がレール部２７をスライドしながら、図１０に示すように、キャスター３４・・がレール部２７上を走行する。これにより、スライド部材５１をレール部１９内において回転させずに、間仕切り壁１０をがたつかせることなく、軽い力でスムーズにスライドさせることができる。
【００４３】
そして、このような動作を繰り返して、間仕切り壁１０・・を収容空間３へ横並びに収容し、すべての間仕切り壁１０・・を収容すると、開閉扉１５を閉めて、室内空間１から間仕切り壁１０・・が見えないようにする。この間仕切り壁１０・・の収容姿勢においては、間仕切り壁１０・・の壁本体３１・・が壁１１の壁材１２、１３と対向して、間仕切り壁１０・・が上下のレール部１９、２７に沿って略直線上に並んだ状態となっている。なお、間仕切り壁１０・・を収容姿勢から間仕切り姿勢にするには、上記の動作を逆に行えば良い。
【００４４】
このように、上記構成の可動間仕切り装置においては、壁１１をふかしてなる収容空間３に間仕切り壁１０・・を邪魔にならないように見栄え良く収容することができる。しかも、間仕切り壁１０・・は、収容空間３において壁１１に沿って横並びに収容されるので、収容空間３の奥行きは間仕切り壁１０の厚み分よりも若干広めに確保するだけで良く、従って収容空間３を形成するにあたっての壁１１のふかしを小さく抑えることができる。これにより、壁１１の厚みが若干増す程度で、室内空間１において余計な出張りが生じず、デッドスペースを減らして室内空間１の有効利用を図ることができ、内装プランの自由度を高めることができる。
【００４５】
さらに、間仕切り壁１０・・は、壁本体３１の上端部略中央及び下端部略中央から突出した第１突起３２及び第２突起３３を中心として、壁本体３１が回転可能となっているので、例えば収容空間３の手前で壁本体３１を回転させて壁１１に沿うように向きを変えて、この状態で収容空間３内に押し込んで壁１１に沿ってスライドさせるだけで、収容空間３に容易に収容することができる。これにより、間仕切り姿勢と収容姿勢との間での間仕切り壁１０・・の切換に際しての操作性を高めることができ、しかも天井レール５及び床レール８の構造を、室内空間１側のレール部１８、２６と収容空間３側のレール部１９、２７を略直交するように連結しただけの簡単な構造とすることができる。
【００４６】
さらにまた、間仕切り壁１０・・の壁本体３１の下端部にキャスター３４・・を取り付けて、間仕切り壁１０・・の移動時や回転時に、キャスター３４・・がレール部２６、２７上若しくは床面６上を走行するので、間仕切り壁１０・・の移動や回転を円滑に安定して行うことができ、操作性をさらに高めることができる。
【００４７】
なお、間仕切り壁には、その壁本体の上端部両端から突出した一対の突起をレールに係合させて移動するタイプのものが多く見受けられるが、このような構造の間仕切り壁では、レールに沿って移動するだけであるから、間仕切り姿勢と収容姿勢との間での間仕切り壁の切換に際して煩雑な操作を強いられたり、レールの構造が複雑になってしまうことになり、上記のような操作性の向上、構造の簡略化を図ることができない。
【００４８】
この発明は、上記実施形態に限定されるものではなく、この発明の範囲内で上記実施形態に多くの修正及び変更を加え得ることは勿論である。
【００４９】
例えば、上記実施形態では、天井レール５及び床レール８は全体的に略Ｔ字形で形成されているが、全体的に略Ｌ字形に形成しても良い。
【００５０】
さらに、図１４及び図１５に示すように、収容空間３側のレール部１９、２７を壁ふかし方向に間隔をあけて２列形成して、これらを室内空間１側のレール部１８、２６の延長上に配置した連結レール部９０、９１によって連結した構造としても良い。これにより、収容空間３内において、図１６に示すように、間仕切り壁１０・・を壁ふかし方向に間隔をあけて２列配置することができ、間仕切り壁１０・・の枚数が多い場合に有効である。
【図面の簡単な説明】
【００５１】
【図１】この発明の一実施形態に係る可動間仕切り装置の斜視図である。
【図２】同じくその概略横断面図である。
【図３】天井レールの斜視図である。
【図４】床レールの斜視図である。
【図５】間仕切り壁の正面図である。
【図６】室内空間側のレール部に案内された第１突起を示す縦断面図である。
【図７】室内空間側および収容空間側のレール部に案内された第２突起を示す縦断面図である。
【図８】収容空間側のレール部に案内された第１突起を示す縦断面図である。
【図９】スライド部材の斜視図である。
【図１０】室内空間側及び収容空間側のレール部上を走行するキャスターを示す縦断面図である。
【図１１】壁本体が床レールに沿った回転位置にあるときの間仕切り壁の下端部中央付近を示す図である。
【図１２】壁本体が床レールからずれた回転位置にあるときの間仕切り壁の上端部中央付近を示す図である。
【図１３】壁本体が床レールからずれた回転位置にあるときの間仕切り壁の下端部中央付近を示す図である。
【図１４】天井レールの変形例を示す斜視図である。
【図１５】床レールの変形例を示す斜視図である。
【図１６】変形例の天井レール及び床レールを用いた可動間仕切り装置の概略横断面図である。
【符号の説明】
【００５２】
１・・室内空間、２・・室内空間の天井面、３・・収容空間、４・・収容空間の天井面、５・・天井レール、６・・室内空間の床面、７・・収容空間の床面、８・・床レール、１０・・間仕切り壁、１１・・壁、１４・・開口部、１５・・開閉扉、１８・・天井レールの室内空間側のレール部、１９・・天井レールの収容空間側のレール部、２６・・床レールの室内空間側のレール部、２７・・床レールの収容空間側のレール部、３１・・壁本体、３２・・第１突起、３３・・第２突起、３４・・キャスター
【図１】
2008297742.tif 000003
【図２】
2008297742.tif 000004
【図３】
2008297742.tif 000005
【図４】
2008297742.tif 000006
【図５】
2008297742.tif 000007
【図６】
2008297742.tif 000008
【図７】
2008297742.tif 000009
【図８】
2008297742.tif 000010
【図９】
2008297742.tif 000011
【図１０】
2008297742.tif 000012
【図１１】
2008297742.tif 000013
【図１２】
2008297742.tif 000014
【図１３】
2008297742.tif 000015
【図１４】
2008297742.tif 000016
【図１５】
2008297742.tif 000017
【図１６】
2008297742.tif 000018